(57)【要約】【課題】照明装置及び照明システムにおいて、照明設定を自動化することにより、その設定の煩わしさを解消する。【解決手段】照明システム１は、陳列展示された衣服Ｃに光を照射する複数の照明部２と、これらを個々に点灯制御する制御部４と、衣服Ｃの衣服情報を記憶させ、衣服Ｃに取り付けられるＩＣタグ５と、ＩＣタグ５から衣服情報を読み取る複数台のＩＣタグリーダ６と、を備える。１つの照明部２、制御部４、ＩＣタグリーダ５及び１台のＩＣタグリーダ６が照明装置１０を構成している。制御部４は、ＩＣタグリーダ６により読み取られた衣服情報に基づいて照明部２を点灯制御する。上記構成においては、ＩＣタグリーダ６が、衣服Ｃに取り付けられたＩＣタグ５から衣服情報を読み取り、制御部４がこの衣服情報に基づいて照明部２を自動的に点灯制御するので、照明設定の自動化を図ることができる。このため、照明設定の煩わしさを解消することができる。【選択図】図１
2008269942.tif 000002
【特許請求の範囲】
【請求項１】
陳列展示された物品に光を照射する照明部と、前記照明部を点灯制御する制御部と、を備えた照明装置において、
前記物品の物品情報を記憶させ、該物品に取り付けられるＩＣタグと、
前記ＩＣタグから前記物品情報を読み取るＩＣタグリーダと、を備え、
前記制御部は、前記ＩＣタグリーダにより読み取られた物品情報に基づいて前記照明部を点灯制御することを特徴とする照明装置。
【請求項２】
前記制御部は、前記物品情報中に同じ物品情報が存在するとき、この物品情報を読み取った前記ＩＣタグリーダに対応する前記照明部を、色温度又は強度の略等しい光を照射するように点灯制御することを特徴とする請求項１に記載の照明装置。
【請求項３】
陳列展示された物品に光を照射する複数の照明部と、前記複数の照明部を点灯制御する制御部と、を備えた照明システムにおいて、
前記物品の物品情報を記憶させ、該物品に取り付けられるＩＣタグと、
前記照明部に対応して設けられ、前記ＩＣタグから前記物品情報を読み取る複数台のＩＣタグリーダと、を備え、
前記制御部は、前記ＩＣタグリーダにより読み取られた物品情報中に同じ物品情報が存在するとき、この物品情報を読み取った前記ＩＣタグリーダに対応する前記照明部を、色温度又は強度の略等しい光を照射するように点灯制御することを特徴とする照明システム。
【発明の詳細な説明】
【技術分野】
【０００１】
本発明は、店舗内に陳列展示された物品に光を照射する照明装置及び照明システムに関する。
【背景技術】
【０００２】
従来から、店舗では陳列される物品が多いので、これらを一元に管理する技術が求められていた。そこで、物品の情報が記録され、その物品に取り付けられるＲＦＩＤタグと、陳列棚に取り付けられ、上記の情報をＲＦＩＤタグから読み出す読出装置と、この読出装置により読み出された情報を一括で管理する管理コンピュータとを備えたシステムが知られている（例えば、特許文献１参照）。
【０００３】
ところで、店舗では、照明装置や照明システムの光源から、陳列された物品に照明光が照射される。例えば、衣服等の販売店では、衣服等が陳列棚に陳列され、さらにショーウィンドウに展示されるので、陳列棚やショーウィンドウ等の各所の光源から衣服等に照明光が照射される。このため、店員等が各所の光源の照明設定を個別に行なう必要がある。また、商品の入れ替えが頻繁に行なわれるので、商品を演出するためには、照明設定を度々変更する必要がある。従って、照明設定に多大な人的労力が必要とされ、手間がかかる。しかしながら、上記特許文献１の技術は、照明設定のための技術ではないため、この問題を解決することができない。
【特許文献１】特開２００５−３１２５７６号公報
【発明の開示】
【発明が解決しようとする課題】
【０００４】
本発明は、上記の従来の問題を解決するためになされたものであり、照明設定を自動化することにより、その設定の煩わしさを解消することができる照明装置及び照明システムを提供することを目的とする。
【課題を解決するための手段】
【０００５】
上記目的を達成するために請求項１の発明は、陳列展示された物品に光を照射する照明部と、前記照明部を点灯制御する制御部と、を備えた照明装置において、前記物品の物品情報を記憶させ、該物品に取り付けられるＩＣタグと、前記ＩＣタグから前記物品情報を読み取るＩＣタグリーダと、を備え、前記制御部は、前記ＩＣタグリーダにより読み取られた物品情報に基づいて前記照明部を点灯制御するものである。
【０００６】
請求項２の発明は、請求項１に記載の照明装置において、前記制御部は、前記物品情報中に同じ物品情報が存在するとき、この物品情報を読み取った前記ＩＣタグリーダに対応する前記照明部を、色温度又は強度の略等しい光を照射するように点灯制御するものである。
【０００７】
請求項３の発明は、陳列展示された物品に光を照射する複数の照明部と、前記複数の照明部を点灯制御する制御部と、を備えた照明システムにおいて、前記物品の物品情報を記憶させ、該物品に取り付けられるＩＣタグと、前記照明部に対応して設けられ、前記ＩＣタグから前記物品情報を読み取る複数台のＩＣタグリーダと、を備え、前記制御部は、前記ＩＣタグリーダにより読み取られた物品情報中に同じ物品情報が存在するとき、この物品情報を読み取った前記ＩＣタグリーダに対応する前記照明部を、色温度又は強度の略等しい光を照射するように点灯制御するものである。
【発明の効果】
【０００８】
請求項１の発明によれば、ＩＣタグリーダが、陳列展示された物品に取り付けられたＩＣタグから物品情報を読み取り、制御部がこの物品情報に基づいて照明部を自動的に点灯制御するので、照明設定の自動化を図ることができる。このため、照明設定の煩わしさを解消することができる。
【０００９】
請求項２の発明によれば、同じ物品に略等しい光を照射することができるので、その物品を他の物品から容易に区別することができる。
【００１０】
請求項３の発明によれば、ＩＣタグリーダが、陳列展示された物品に取り付けられたＩＣタグから物品情報を読み取り、制御部がこの物品情報に基づいて照明部を自動的に点灯制御するので、照明設定の自動化を図ることができる。このため、照明設定の煩わしさを解消することができる。また、同じ物品に略等しい光を照射することができるので、その物品を他の物品から容易に区別することができる。
【発明を実施するための最良の形態】
【００１１】
以下、本発明の一実施形態について図面を参照して説明する。図１は、本実施形態に係る照明システムの構成を示す。この照明システム１は、店舗に、特に、衣服を販売する店舗に適用されるシステムである。照明システム１は、陳列展示された衣服Ｃ（物品）に光を照射する複数の照明部２と、これらの複数の照明部２を点灯させる点灯回路３と、この点灯回路３を駆動制御することにより、照明部２を個々に点灯制御する制御部４と、衣服Ｃに取り付けられ、その衣服Ｃの衣服情報（物品情報）を記憶させた複数個のＩＣタグ５と、このＩＣタグ５から衣服情報を読み取る複数台のＩＣタグリーダ６と、を備える。
この照明システム１においては、複数の照明部２及び点灯回路３に対して、１つの制御部４が共用されていて、１つの照明部２、点灯回路３、制御部４、ＩＣタグリーダ５及び１台のＩＣタグリーダ６が照明装置１０を構成している。ＩＣタグ５は、陳列棚Ｒ上の衣服Ｃや、ショーウィンドウＷ内のマネキンＭに装着された衣服Ｃに取り付けられる。ＩＣタグリーダ６は、陳列棚Ｒ上と、ショーウィンドウＷ内とに設置されている。制御部４は、ＩＣタグリーダ６から送出された衣服情報に基づき、陳列棚Ｒ上の衣服Ｃと、ショーウィンドウＷ内の衣服Ｃとを、略等しい光で照射するように照明部２を自動的に点灯制御する。この制御部４は、パーソナルコンピュータ等の管理装置７に搭載されている。
【００１２】
さらに、照明システム１は、制御部４からの情報をディスプレイ等に表示し、店員に通知する表示端末８を備える。表示端末８は、例えばスタッフブースに設置される。制御部４と表示端末８との間の通信は、無線によるものであっても、ＬＡＮケーブルや専用線、電力供給線等の有線を介したものであってもよい。以下、照明システム１の構成を詳細に説明する。
【００１３】
照明部２は、Ｒ、Ｇ、ＢのＬＥＤや白熱電球等の調光可能な光源により構成される。ショーウィンドウＷ内の照明部２においては、光源が、壁の上部又は天井に設置されている。また、陳列棚Ｒの照明部２においては、光源が、衣服Ｃ上側の棚板の下面に設置されている。このため、衣服Ｃを積み重ねて棚板上に載置した場合であっても、光源と衣服Ｃとの接触を避けることができる。なお、陳列棚Ｒの照明部２においては、光源が、衣服Ｃとの接触を避けるように、陳列棚Ｒの背板の衣服Ｃより高い位置に設置されていても構わない。
【００１４】
ＩＣタグ５は、ＩＣとＩＣ外部に設けられたアンテナとにより構成されたパッシブタイプのＩＣタグである。ＩＣタグ５とＩＣタグリーダ６との間の通信方式としては、電磁誘導方式又は電波方式が用いられる。上記ＩＣ内のメモリには、衣服情報が格納されている。この衣服情報は、ＩＣタグ５が取り付けられる衣服Ｃを特定するための情報である。このような情報には、例えば、識別番号や、衣服Ｃの色情報又は素材情報等が含まれる。ＩＣタグは記憶容量が多いので、衣服情報を記憶するための媒体としてＩＣタグを用いることにより、情報量の多い詳細な情報を格納することができる。従って、詳細な情報に合わせた細かな照明制御が可能となる。
【００１５】
ＩＣタグリーダ６は、照明部２と対応して設けられている。すなわち、照明システム１においては、１個の照明部２に対して１台のＩＣタグリーダ６が対となるように設けられる。このＩＣタグリーダ６の設置位置は、ショーウィンドウＷ内においては、例えばマネキンＭ下の床面であり、陳列棚Ｒにおいては、衣服Ｃ下側の棚板である。ＩＣタグリーダ６は、ＩＣタグ５から読み取った衣服情報を制御部４に送出する。ＩＣタグリーダ６と制御部４との間の通信は、無線によるものであっても、ＬＡＮケーブルや専用線、電力供給線等の有線を介したものであってもよい。
【００１６】
制御部４は、ＣＰＵを搭載したマイクロコンピュータにより構成される。このマイクロコンピュータは、ＩＣタグリーダ６により読み取られた衣服情報に基づいて照明部２を点灯制御する。上記構成においては、ＩＣタグリーダ６が、陳列展示された衣服Ｃに取り付けられたＩＣタグ５から衣服情報を読み取り、制御部４がこの衣服情報に基づいて照明部２を自動的に点灯制御するので、照明設定の自動化を図ることができる。このため、照明設定の煩わしさを解消することができる。また、照明設定の自動化により、手作業では困難で、複雑な演出用の照明設定が可能となる。
【００１７】
また、制御部４は、ＩＣタグリーダ６から送出された衣服情報中に同じ衣服情報が存在するとき、この衣服情報を読み取ったＩＣタグリーダ６に対応する照明部２を点灯制御する。この点灯制御により、照明部２の光源から衣服Ｃに、色温度又は強度の略等しい光、例えば寒色系の光が照射される。このとき、制御部４は、互いに異なる衣服情報を読み取ったＩＣタグリーダ６に対応する照明部２に対して、上記とは別の光、例えば暖色系の光を出射するように点灯制御する。従って、同じ衣服Ｃを他の衣服Ｃから容易に区別することが可能となる。この構成においては、例えば、ショーウィンドウＷに展示する衣服Ｃと同一のものを陳列棚Ｒに陳列する場合、同一の衣服情報が格納されたＩＣタグ５を両者に取り付けることにより、両者に色温度又は強度の略等しい光を照射することができる。このため、客が、ショーウィンドウＷに展示されている衣服Ｃと同じものを、陳列棚Ｒに陳列された衣服Ｃの中から容易に探し出すことができる。
【００１８】
ここで、上記構成おいて、照明部２がＲ、Ｇ、ＢのＬＥＤにより構成されており、ショーウィンドウＷにおいてはこの照明部２が複数設置され、それぞれの照明部２には光照射対象の衣服Ｃが対応付けられているとする。この場合、光照射対象の衣服Ｃごとに照射光の色を変えることにより、陳列棚Ｒに陳列された衣服Ｃの中から複数種の衣服Ｃを、ショーウィンドウＷ内の衣服Ｃと同じものとして他と区別することが容易になる。
【００１９】
図２は、ショーウィンドウＷにおけるＩＣタグ５及びＩＣタグリーダ６の配置例を示す。ＩＣタグリーダ６は、マネキンＭ下方のショーウィンドウＷ床面に設置されている。ＩＣタグリーダ６は、マネキンＭと対応して設けられており、ショーウィンドウＷ内にマネキンＭが例えば２体設置されているとき、ＩＣタグリーダ６も２台設置される。マネキンＭには衣服Ｃが装着される。ＩＣタグ５は、ＩＣタグリーダ６が衣服情報を読み取り可能な範囲Ａ（点線枠で示す）内で、衣服Ｃに取り付けられる。ＩＣタグ５の取り付け位置は、衣服Ｃの表側であっても、裏側であってもよい。
【００２０】
ショーウィンドウＷの床面、側面又は背面には、ＩＣタグリーダ６設置部分を除いて、電波吸収部材９が設けられている。この電波吸収部材９は、例えば磁性材料を樹脂に混入させて成る部材である。この電波吸収部材９により、ＩＣタグ５やＩＣタグリーダ６の出力電波が床面、側面又は背面で反射することを防止できる。このため、ＩＣタグ５やＩＣタグリーダ６の出力電波と反射波とが干渉することにより生ずる電波干渉を抑制することができる。
【００２１】
ＩＣタグリーダ６は、上記範囲内に在る全てのＩＣタグ５から、衣服情報を読み取る。ショーウィンドウＷにおいては、ＩＣタグ５とＩＣタグリーダ６との間の通信距離が比較的長いので、これらの間の通信方式として、例えば２．４５ＧＨｚの周波数帯を用いた電波方式が採用される。また、１台のＩＣタグリーダ６により複数個のＩＣタグ５から衣服情報を読み取る場合、ＩＣタグ５とＩＣタグリーダ６との間の通信方式は、電波方式で統一することが望ましい。
【００２２】
上記構成においては、衣服ＣにＩＣタグ５を取り付け、その衣服ＣをマネキンＭに装着するだけで、制御部４がＩＣタグリーダ６によりその衣服Ｃの衣服情報を取得することができる。制御部４は、衣服情報の取得をトリガとして自動的に照明部２を点灯制御するので、照明設定のためユーザに必要とされるのは、衣服ＣへのＩＣタグ５の装着だけである。このため、照明設定の煩わしさを解消することができる。
【００２３】
図３は、ショーウィンドウＷにおけるＩＣタグ５及びＩＣタグリーダ６の上記とは別の配置例を示す。ＩＣタグリーダ６は、マネキンＭの複数の箇所に取り付けられている。ＩＣタグ５は、衣服ＣがマネキンＭに装着された状態で、衣服ＣのＩＣタグリーダ６近傍となる位置に配置される。この配置例においては、ＩＣタグ５とＩＣタグリーダ６との間の距離が比較的短いので、これらの間の通信方式として、例えば電磁波誘導方式が採用される。上記通信方式は電波式であってもよい。
【００２４】
図４（ａ）（ｂ）は、陳列棚Ｒにおける照明部２、ＩＣタグ５及びＩＣタグリーダ６の配置例と、ＩＣタグ５の衣服Ｃへの取り付け例とを示す。まず、ＩＣタグ５及びＩＣタグリーダ６の配置例を説明する。陳列棚Ｒにおいて、ＩＣタグリーダ６は、棚板に設置されている。照明部２は、ＩＣタグリーダ６が設置された棚板の一段上の棚板に設けられている。この照明部２は、その棚板の下面に、ＩＣタグリーダ６と対となるように配置されている。衣服Ｃは、照明部２とＩＣタグリーダ６との間に配置される。衣服Ｃが複数種在る場合、それらは種類ごとに分けられて置かれる。１対の照明部２及びＩＣタグリーダ６に、１種類の衣服Ｃが対応付けされて配置されるＩＣタグ５は、この衣服Ｃに取り付けられる。従って、上から照明部２、ＩＣタグ５が取り付けらた衣服Ｃ、ＩＣタグリーダ６の順で、これらが配置される。ＩＣタグ５の衣服情報は、衣服Ｃの種類ごとに異なっている。
【００２５】
陳列棚Ｒの棚板の上面及び下面には、照明部２及びＩＣタグリーダ６設置部分を除いて、電波吸収部材９が設けられている。この電波吸収部材９により、ＩＣタグ５やＩＣタグリーダ６の出力電波が棚板の上面及び下面で反射することを防止できる。このため、ＩＣタグ５やＩＣタグリーダ６の出力電波と反射波とが干渉することにより生ずる電波干渉を抑制することができる。なお、棚板に電波吸収部材９に設けるのではなく、棚板が電波吸収素材により構成されていても構わない。
【００２６】
ＩＣタグリーダ６は、上方の照明部２との間の衣服Ｃに取り付けられたＩＣタグ５から衣服情報を読み取る。ＩＣタグリーダ６の電磁波出力は、衣服情報読み取り可能範囲Ａ（点線枠で示す）が、他のＩＣタグリーダ６のそれと重ならないように制御されている。また、上記電磁波出力は、自身上方の衣服Ｃ以外の衣服Ｃに取り付けられたＩＣタグ５をアクティベートしないように制御されている。陳列棚Ｒにおいては、ＩＣタグ５とＩＣタグリーダ６との間の距離が比較的短いので、これらの間の通信方式としては、例えば電磁誘導方式が用いられる。上記通信方式は電波方式であっても構わない。
【００２７】
次に、ＩＣタグ５の衣服Ｃへの取り付け例を説明する。ＩＣタグ５は、値札Ｐや商品タグＴに固定される。この固定は、ＩＣタグ５の値札Ｐや商品タグＴへの貼り付けや埋め込み等によりなされる。値札Ｐや商品タグＴは、衣服Ｃに貼り付けられたり取り付けられたりする。このようにして、ＩＣタグ５が衣服Ｃに取り付けられる。
【００２８】
図５（ａ）（ｂ）は、商品吊り下げ型陳列庫における照明部２、ＩＣタグ５及びＩＣタグリーダ６の配置例を示す。この商品吊り下げ型陳列庫は、ハンガを掛けるためのハンガパイプＨと、その上方に配置された天板Ｂとを有する。この天板Ｂの下面には、ＩＣタグリーダ６が固定されている。このＩＣタグリーダ６は、ハンガパイプＨの上方に配置されており、ハンガパイプＨの延伸方向に複数並んで設置されている。ＩＣタグリーダ６とハンガパイプＨとは底面視で重なるように配置されている。また、天板Ｂの下面には、一列に並んだＩＣタグリーダ６の両側に照明部２が配置されている。この照明部２は、ＩＣタグリーダ６とその両側の照明部２とが組と成り、ＩＣタグリーダ６の並設方向に複数並んで設置されている。
【００２９】
衣服Ｃは、ハンガ掛けされてハンガパイプＨに吊り下げられている。ＩＣタグ５は、この衣服Ｃに取り付けられている。ＩＣタグ５とＩＣタグリーダ６との間の通信方式としては、これらの間の距離が比較的長いので、電波方式が望ましい。天板Ｂ及びハンガパイプＨの下方の床面には、不図示であるが、電波吸収部材９が設けられている。この電波吸収部材９により、上記のように電波干渉を抑制することができる。なお、照明部２及びＩＣタグリーダ６は、衣服Ｃ下方の床面に設けられていてもよい。
【００３０】
図６は、ＩＣタグリーダ６が、自身の衣服情報読み取り可能範囲内で、複数の異なる衣服情報を読み取ったときの照明システム１の動作を示す。このとき、制御部４は、表示端末８に異常検知情報を送出する。ここで、上記動作の一例を説明する。ショーウィンドウＷ内の衣服Ｃを衣服Ｃ１と表記し、それと異なる衣服Ｃを衣服Ｃ２と表記する。衣服Ｃ１の衣服情報と衣服Ｃ２の衣服情報とは異なっており、衣服Ｃ１の衣服情報は衣服Ｃ１のＩＣタグ５に、また衣服Ｃ２の衣服情報は衣服Ｃ２のＩＣタグ５に格納されているとする。
【００３１】
ＩＣタグリーダ６は、自身の衣服情報読み取り可能範囲内に在るＩＣタグ５から、衣服情報を読み取り、この衣服情報を制御部４に送出する。制御部４は、１台のＩＣタグリーダ６からの衣服情報中に、衣服Ｃ１及び衣服Ｃ２の衣服情報が含まれていることを検知する。このとき、制御部４は、異常検知情報を表示端末８に送出する。表示端末８は、制御部４からの異常検知情報に基づいて、該情報をディスプレイ等に表示し、店員に通知する。このため、店員は、陳列棚Ｒ近傍に居なくても、陳列棚Ｒにおける衣服Ｃの陳列状態の乱れを素早く認識することができる。
【００３２】
なお、本発明は、上記実施形態の構成に限定されるものでなく、使用目的に応じ、様々な変形が可能である。例えば、制御部４は、管理装置７に限定されず、他の機器に搭載されていてもよい。また、ショーウィンドウＷにおいて、ＩＣタグリーダ６をコントロールボックス内に配置していてもよい。このコントロールボックスは、客の目に触れない場所に設置される。この場合、衣服Ｃの展示時に、衣服情報読み取りのため、店員が、ＩＣタグリーダ６にＩＣタグ５から衣服情報を読み取らせる。その後、ＩＣタグ５は衣服Ｃに取り付けられる。この場合、衣服Ｃ情報読み取り時のＩＣタグ５とＩＣタグリーダ６との間の距離が比較的短いので、これらの間の通信方式として、例えば電磁波誘導方式が採用される。
【図面の簡単な説明】
【００３３】
【図１】本発明の一実施形態に係る照明システムの構成図。
【図２】上記照明システムのＩＣタグ及びＩＣタグリーダのショーウィンドウにおける配置例を示す図。
【図３】上記とは別の配置例を示す図。
【図４】（ａ）は上記照明システムの照明部、ＩＣタグ及びＩＣタグリーダの陳列棚における配置例を示す図、（ｂ）は同ＩＣタグの衣服への取り付け例を示す図。
【図５】（ａ）は上記照明部、ＩＣタグ及びＩＣタグリーダの商品吊り下げ型陳列庫における配置例を示す図、（ｂ）は同陳列庫の底面図。
【図６】上記ＩＣタグリーダが複数の異なる衣服情報を読み取った場合の上記照明システムの動作を示す図。
【符号の説明】
【００３４】
１  照明システム
２  照明部
３  点灯回路
４  制御部
５  ＩＣタグ
６  ＩＣタグリーダ
７  管理装置
８  表示端末
９  電波吸収部材
Ｃ  衣服
Ｍ  マネキン
Ｒ  陳列棚
Ｗ  ショーウィンドウ
【図１】
2008269942.tif 000003
【図２】
2008269942.tif 000004
【図３】
2008269942.tif 000005
【図４】
2008269942.tif 000006
【図５】
2008269942.tif 000007
【図６】
2008269942.tif 000008